(57)【要約】【課題】点灯もしくは点滅が可能な発光機能を備えることができ、しかも従来存する帽子や衣類等に対し、これらの発光機能を着脱可能となるように備え付けられるようにした構成簡単で且つ安価な発光表示機能を備えたエンブレムを提供する。【解決手段】基板面の文字・マーク・模様Ｑ等に模った箇所に沿って配置した複数のＬＥＤもしくはＥＬのいずれかによる発光素子４と、該発光素子４を点灯もしくは点滅するように信号制御する駆動回路ブロックと、該駆動回路ブロックに電力を供給するボタン電池とをエンブレム本体１に備え、該エンブレム本体１は、帽子・衣類等の被着面に対し着脱可能な取付手段２によって固定できるようにする。この取付手段２は、安全ピン・雄雌両面ファスナー・両面粘着テープ・スナップボタン・スライドファスナーのいずれかによって構成する。【選択図】図１
2008289516.tif 000002
【特許請求の範囲】
【請求項１】
帽子・衣類等の被着面へ着脱可能な取付手段によって固定されるエンブレム本体に、当該エンブレム本体に付されている文字・マーク・模様等に模った箇所に沿って複数の発光素子を配設してなることを特徴とする発光表示機能を備えたエンブレム。
【請求項２】
基板面の文字・マーク・模様等に模った箇所に沿って配置された複数のＬＥＤもしくはＥＬのいずれかによる発光素子と、該発光素子を点灯もしくは点滅するように信号制御する駆動回路ブロックと、該駆動回路ブロックに電力を供給するボタン電池とをエンブレム本体に備え、該エンブレム本体は、帽子・衣類等の被着面へ着脱可能な取付手段によって固定されるものとしたことを特徴とする発光表示機能を備えたエンブレム。
【請求項３】
取付手段は、安全ピン・雄雌両面ファスナー・両面粘着テープ・スナップボタン・スライドファスナーのいずれかである請求項１または２記載の発光表示機能を備えたエンブレム。
【請求項４】
前記駆動回路ブロックおよびボタン電池は、基板の裏面側に配設してある請求項２または３記載の発光表示機能を備えたエンブレム。
【発明の詳細な説明】
【技術分野】
【０００１】
本発明は、例えば帽章・ワッペン等のエンブレムの例えば文字・マーク・模様等を点灯もしくは点滅するように発光可能とした発光表示機能を備えたエンブレムに関する。
【背景技術】
【０００２】
近年、スポーツ観戦等では、チームの応援を華やかにして人目を引くようにすることや、遊園地やテーマパークあるいはイベント会場等において、お土産や会場の宣伝広告の目的に派手な装飾で人目を引くようにすることのために、例えば帽子や衣服等の被着面にエンブレム等の装飾品を取り付けるものがあった。このとき、例えば帽子の場合は、人の目を引き付けるために極端に目立つようなデザインや色が施される。
【０００３】
具体的には、例えば特許文献１に開示されているように、エンブレム付きアタッチメントを帽子のクラウン後部の下方周縁部にあるバンドのまわりに取付けることができ、半円形の開口部を完全に覆い、さらには帽子の後部をエンブレムやワッペンで飾るものとしたエンブレム付き帽子なる技術が存在する。
【０００４】
このエンブレム付き帽子アタッチメントは基本的には、平面的で適度な堅さのある素材でできていて、前方表面と後方表面に分けられ、第一の折り目が本体の中心を横切って延び、本体を表面パネルと裏面パネルとに半分に分ける。この第一の折り目は、野球帽のバンドをとらえて、表面パネルの後方表面を、裏面パネルを帽子にとりつけるファスナー手段のある、クラウンの後方部分の内側に沿う関係に位置させるという役割を果たしている。また、表面パネルは下向きに折っても上向きに折っても、その上のエンブレムその他のしるしを展示することができるものとなっている。
【０００５】
しかし、従来の帽章等のエンブレムでは、目が慣らされてしまっており、特別に目を引くものではなくなってきている。そこで、従来では、この種の特別に目を引くようなエンブレムとして、例えば特許文献２に開示されているように、帽子本体の外周に帯状に巻回されている表示ベルトと、帽子本体の頂部の内側に取り付けてある駆動回路ブロックと、帽子本体の内側の両側部に配設された電源とを具備し、前記表示ベルトは、帯状の遮光シートに表示窓部を設け、この表示窓部の背面にＥＬ発光シートを貼付し、前記駆動回路ブロックによりＥＬ発光シートの発光を制御するものとしたＥＬ表示付き帽子なる技術が存在する。
【特許文献１】特開平７−４２００８号公報
【特許文献２】特開平８−１００３１８号公報
【発明の開示】
【発明が解決しようとする課題】
【０００６】
しかしながら、従来における特許文献２によるものでは、ＥＬ発光シートを貼付してなる表示ベルト・駆動回路ブロック・電源等が帽子本体に対し直接固定された状態となって備え付けられているため、帽子本来の構成が複雑化し、しかも製造コストが高額なものとなってしまうものであった。しかも、従来存する帽子や衣類等の被着面に対し、これらの発光機能を着脱可能に取り付けられるようにした技術は未だ存在していないのであった。
【０００７】
そこで、本発明は、叙上のような従来存した諸事情に鑑み案出されたもので、スポーツ観戦時のチームの応援を華やかにして人目を引くことができ、また遊園地やテーマパークあるいはイベント会場等において、お土産や会場の宣伝広告の目的に派手な装飾で人目を引くことができる点灯もしくは点滅が可能な発光機能を備えることができ、しかも従来存する帽子や衣類等の被着面に対し、これらの発光機能を着脱可能となるように備え付けられるようにした構成簡単で且つ安価な発光表示機能を備えたエンブレムを提供することを目的とする。
【課題を解決するための手段】
【０００８】
上述した課題を解決するため、本発明にあっては、帽子・衣類等の被着面へ着脱可能な取付手段によって固定されるエンブレム本体に、当該エンブレム本体に付されている文字・マーク・模様等に模った箇所に沿って複数の発光素子を配設してなることを特徴とする。
【０００９】
また、基板面の文字・マーク・模様等に模った箇所に沿って配置された複数のＬＥＤもしくはＥＬのいずれかによる発光素子と、該発光素子を点灯もしくは点滅するように信号制御する駆動回路ブロックと、該駆動回路ブロックに電力を供給するボタン電池とをエンブレム本体に備え、該エンブレム本体は、帽子・衣類等の被着面へ着脱可能な取付手段によって固定されるものとしたことを特徴とする。
【００１０】
取付手段は、安全ピン・雄雌両面ファスナー・両面粘着テープ・スナップボタン・スライドファスナーのいずれかである。
【００１１】
前記駆動回路ブロックおよびボタン電池は、基板の裏面側に配設してある。
【発明の効果】
【００１２】
本発明によれば、スポーツ観戦時のチームの応援を華やかにして人目を引くことができ、また遊園地やテーマパークあるいはイベント会場等において、お土産や会場の宣伝広告の目的に派手な装飾で人目を引くことができる点灯もしくは点滅が可能な発光機能を備えることができ、しかも従来存する帽子や衣類等の被着面に対し、これらの発光機能を容易な操作で着脱可能となるように備え付けることができる。
【発明を実施するための最良の形態】
【００１３】
以下、図面を参照して本発明を実施するための最良の一形態を説明する。
本発明に係る発光表示機能を備えたエンブレム本体１は、図１および図２に示すように、例えば布地・プラスチックフィルム・金属シート等の単体もしくはそれらの組み合わせによって、若干湾曲した中空帯板状に形成されており、その表面には、文字・マーク・模様Ｑ等が付設されている。
【００１４】
そして、エンブレム本体１の裏面上端側には、当該エンブレム本体１を帽子Ｐ（図６参照）や衣類等の被着面に着脱可能となって取り付けることができる取付手段２を付設してある。具体的な取付手段２としては、本形態においては、図１乃至図３に示すように、針材２ａの末端がエンブレム本体１の裏面側一端に設けたヒンジ部２ｂに枢着保持され、針材２ａの尖端がエンブレム本体１の裏面側他端に設けたフック部２ｃに係架固定される所謂安全ピン構造を採用している。尚、この他の取付手段２として、例えば雄雌両面ファスナー・両面粘着テープ・スナップボタン・スライドファスナー等を採用しても良い。
【００１５】
このエンブレム本体１は、図４に示すように、前記文字・マーク・模様Ｑに模った箇所に沿って隣接状に穿設されている導通用孔部３を介して例えばＬＥＤ（発光ダイオード）等の複数の発光素子４が配設されている。尚、この発光素子４としてＬＥＤを使用する替わりに例えばＥＬ（エレクトロルミネッセンス）素子等を使用しても良い。
【００１６】
また、エンブレム本体１の中空内には、図４および図５に示すように、前記した複数の発光素子４それぞれの導線配線用の例えば電気絶縁性を有する合成樹脂製等の基板５が内設されており、該基板５の裏面側には、文字・マーク・模様Ｑに模った箇所に沿って直列接続されている各発光素子４それぞれを点灯もしくは点滅するように信号制御するための駆動回路ブロック６と、例えばＯＮ／ＯＦＦスライド式のスイッチＳＷおよび抵抗７等が配設されている。これに伴い、基板５の背後における余剰空間には、該駆動回路ブロック６に電力を供給するための３つのボタン電池Ｖが収容できるようにしてある。尚、ボタン電池の替わりに薄型サイズのペーパー型電池を採用しても良い。
【００１７】
すなわち、エンブレム本体１の裏側は、図３および図４に示すように、ボタン電池Ｖを挿入させることができる程度の若干小さな矩形状の開口部８が設けられ、この開口部８の上縁端には、帯材を引き起こし捲るようにして開放可能とした横長の開閉蓋面部９が設けられている。そして、この開閉蓋面部９を引き起こしてから開口部８を介してボタン電池Ｖをエンブレム本体１内に収容した後、当該開閉蓋面部９の裏面に付設された例えば両面粘着テープあるいは雄雌面ファスナー等の固定部材１０を介して閉塞固定し、これらボタン電池Ｖが開口部８から抜脱されないようにしてある。尚、エンブレム本体１のボタン電池Ｖを挿入する手段（構造）は、これに限定されるものでないことは勿論である。
【００１８】
次に、以上のように構成された最良の形態についての使用、動作の一例について説明する。
【００１９】
先ず、エンブレム本体１裏側の開閉蓋面部９を引き起こし捲ってから開口部８を介して３つのボタン電池Ｖをエンブレム本体１内に収容した後、当該開閉蓋面部９の裏面に付設された固定部材１０を介して閉塞固定する。
【００２０】
図６に示すように、このエンブレム本体１を例えば帽子Ｐの鍔部上側のキャップ部に取り付ける場合には、取付手段２における針材２ａの尖端をフック部２ｃから取り外してから当該尖端をキャップ部の一部に貫通させ、再度フック部２ｃに係架させておく。尚、エンブレム本体１を衣類等に取り付ける場合も同様である。
【００２１】
そして、スイッチＳＷをＯＦＦ状態からＯＮ状態にスライドすれば、ボタン電池Ｖによって駆動回路ブロック６に電力が供給され、当該駆動回路ブロック６による信号制御に基づいて、文字・マーク・模様Ｑ等に模った箇所に沿って直列接続されている各発光素子４それぞれが点灯もしくは点滅することにより、他人の目を引くことができるのである。
【図面の簡単な説明】
【００２２】
【図１】本発明を実施するための最良の形態におけるエンブレム本体の斜視図である。
【図２】同じくエンブレム本体の平面図である。
【図３】同じくエンブレム本体の背面図である。
【図４】図３中のＸ−Ｘ断面図である。
【図５】発光素子を駆動させるための回路の一例を示す回路構成図である。
【図６】エンブレム本体を帽子に取付使用した状態の斜視図である。
【符号の説明】
【００２３】
Ｐ    帽子
Ｑ    文字・マーク・模様
ＳＷ  スイッチ
Ｖ    ボタン電池
１    エンブレム本体
２    取付手段
３    導通用孔部
４    発光素子
５    基板
６    駆動回路ブロック
７    抵抗
８    開口部
９    開閉蓋面部
１０  固定部材
【図１】
2008289516.tif 000003
【図２】
2008289516.tif 000004
【図３】
2008289516.tif 000005
【図４】
2008289516.tif 000006
【図５】
2008289516.tif 000007
【図６】
2008289516.tif 000008